(57)【要約】【課題】    起立姿勢の二つ折フィルムによりパチンコ機を包装する際に、当該二つ折フィルムの上端部の起立姿勢を保持して確実に搬送可能にすることである。【解決手段】  パチンコ機Ｐの全体を覆った状態で、開口を上端側にした前記二つ折フィルムＦの起立姿勢を維持すべく、当該二つ折フィルムＦの開口となっている上端側を前記パチンコ機Ｐの搬送方向Ｑに沿って把持して搬送するためのフィルム把持搬送装置Ｄが熱融着・切断位置である第２コンベア装置Ｃ2 の直上に配置されて、当該パチンコ機Ｐが挿入配置された二つ折フィルムＦの上端部を前記フィルム把持搬送装置Ｄが把持した状態で、当該二つ折フィルムＦをパチンコ機Ｐと一緒に搬送する。【選択図】  図１３
2015224039.tif 000002
【特許請求の範囲】
【請求項１】
幅方向に沿って二つ折りした二つ折フィルムの各二つ折部を内側にそれぞれ直角に折り曲げた状態で、開口を上端側にして、当該二つ折フィルムをパチンコ機の搬送方向と直交する水平方向に沿って所定間隔をおいて起立させるために、第１コンベア装置の両側に起立して配置された直角二等辺三角形状をした一対のフォーミングプレートと、
前記パチンコ機の走行方向に沿って先端側が予め上下方向に沿って熱融着された二つ折フィルムの内部にパチンコ機が配置された状態で、当該パチンコ機の搬送により前記二つ折フィルムを引っ張りながら、前記第１コンベア装置に接続する第２コンベア装置の上の熱融着・切断位置に配置された当該パチンコ機を覆っている前記二つ折フィルムにおける上下方向の既熱融着部と対向する部分を、上下方向に沿って二列状に熱融着すると共に、当該二列状に熱融着された部分の間の切断を行う上下方向熱融着・切断装置と、
前記第２コンベア装置に載せられたパチンコ機の上端よりも上方において前記二つ折フィルムを水平方向に沿って熱融着すると共に、当該熱融着された部分よりも外側の切断を行う水平方向熱融着・切断装置とを備え、
前記二つ折フィルムにおけるパチンコ機の下辺部を除く残りの三辺部に相当する部分を熱融着して切断することで、当該パチンコ機の全体をフィルムで包装する構成のパチンコ機の自動包装装置であって、
前記パチンコ機の全体を覆った状態で、開口を上端側にした前記二つ折フィルムの起立姿勢を維持すべく、当該二つ折フィルムの開口となっている上端側を前記パチンコ機の搬送方向に沿って把持して搬送するためのフィルム把持搬送装置が、前記熱融着・切断位置である第２コンベア装置の直上に配置されていることを特徴とするパチンコ機の自動包装装置。
【請求項２】
前記フィルム把持搬送装置は、一対の無端ローラチェーンを対向配置させて、内側の各直線走行部により、走行ガイド板により当該各直線走行部のわん曲を阻止した状態で、二つ折フィルムの開口側の上端部を把持する構成であることを特徴とする請求項１に記載のパチンコ機の自動包装装置。
【請求項３】
前記一対の無端ローラチェーンは、密着・離間が可能であって、前記水平方向熱融着・切断装置により、二つ折フィルムの開口側の上端部の熱融着及び切断を行う際には、当該一対の無端ローラチェーンは、離間させて行うことを特徴とする請求項２に記載のパチンコ機の自動包装装置。
【請求項４】
前記水平方向熱融着・切断装置、及びフィルム把持搬送装置は、上下方向の配置位置が調整可能であることを特徴とする請求項１ないし３のいずれかに記載のパチンコ機の自動包装装置。
【請求項５】
前記水平方向熱融着・切断装置により、二つ折フィルムの開口側の上端部の熱融着及び切断を行うことにより発生した二枚重ねとなった長尺状のフィルム耳部を巻き取るためのフィルム耳部巻取装置を備えていることを特徴とする請求項１ないし４のいずれかに記載のパチンコ機の自動包装装置。
【請求項６】
前記フィルム耳部巻取装置は、軸心を垂直にした１ないし複数の第１ガイドローラを経て、軸心を水平にした複数の第２ガイドローラに巻き掛けられて、軸心を水平にした巻取軸に巻き取られ、しかも複数の第２ガイドローラのうち最も低い位置に配置される第２ガイドローラは、張力発生用の重りが付けられた状態で上下方向の移動が可能に配置されて、巻取軸の巻太りに応じて、上昇する構成であることを特徴とする請求項５に記載のパチンコ機の自動包装装置。
【請求項７】
請求項２を引用する請求項６に記載のパチンコ機の自動包装装置を使用して、二つ折フィルムによりパチンコ機を自動包装する方法であって、
パチンコ機が挿入配置された二つ折フィルムの上端部を水平方向熱融着・切断装置により熱融着及び切断を行う際には、一対の無端ローラチェーンを離間させて、前記フィルム耳部巻取装置を構成する第２ガイドローラの張力発生用の重りにより、当該二つ折フィルムの上端部にパチンコ機の搬送方向に沿った張力が付与されることで、起立姿勢に近い姿勢を保持した状態で行うことを特徴とするパチンコ機の自動包装方法。
【発明の詳細な説明】
【技術分野】
【０００１】
本発明は、起立配置された一対のフォーミングプレートにより、幅方向に沿って二つ折りしたフィルムの各二つ折部を内側にそれぞれ直角に折り曲げて所定間隔をおいて起立させることで、当該二つ折部の間に挿入配置されたパチンコ機を自動包装する装置、及びその方法に関するものである。
【背景技術】
【０００２】
パチンコ機の包装装置には、特許文献１等に開示されているように種々のものがあり、その中で、起立配置された一対のフォーミングプレートにより、幅方向に沿って二つ折りしたフィルムの各二つ折部を内側にそれぞれ直角に折り曲げて所定間隔をおいて起立させることで、当該二つ折部の間に挿入配置されたパチンコ機を自動包装する装置が知られている。
【０００３】
このパチンコ機の自動包装装置は、先端部が上下方向に予め熱融着されている二つ折フィルムの各二つ折部の間にパチンコ機が挿入配置された状態で、各二つ折部の開口側の上端部に上昇気流を作用させて、起立姿勢を保持させた状態で、パチンコ機を覆っている二つ折フィルムにおける先端部の既熱融着部と対向する部分を上下方向に熱融着及び切断すると共に、パチンコ機の上端に対応する部分を水平方向に沿って熱融着及び切断することで、内部にパチンコ機が挿入配置された二つ折フィルムの二つ折部の下辺部を除く三辺部を熱融着させることで、包装している。
【０００４】
しかし、二つ折フィルムの各二つ折部の上端部の垂直姿勢を保持させるために、当該上端部に上昇気流を常時作用させて、二つ折フィルムの直上に配置された複数の空気圧シリンダのロッドの先端に取付けられた把持爪により把持していたので、二つ折フィルムの上端部の起立が不十分の場合には、前記把持爪による把持ができず、パチンコ機に対して二つ折フィルムが垂れ下がって、極端な場合には、二つ折部の熱融着が不能の場合があった。
【０００５】
また、二つ折フィルムの上端部を熱融着した状態において、小幅の耳部が発生するが、そのまま放置されていたので、包装されたパチンコ機の梱包時等において、当該耳部が引っ掛かる等の問題もあった。
【先行技術文献】
【特許文献】
【０００６】
【特許文献１】特開２００５−８１１３２号公報
【発明の概要】
【発明が解決しようとする課題】
【０００７】
本発明は、上記構成のパチンコ機の自動包装装置において、パチンコ機が挿入配置された二つ折フィルムを、当該二つ折フィルムの熱融着・切断位置である第２コンベア装置に搬送する際、及び熱融着・切断位置に配置された状態において、当該二つ折フィルムの開口側の上端部の起立姿勢を保持させて、当該二つ折フィルムの上端部の熱融着及び切断を安定して確実に行えるようにすることを課題としている。
【課題を解決するための手段】
【０００８】
上記課題を解決するための請求項１の発明は、幅方向に沿って二つ折りした二つ折フィルムの各二つ折部を内側にそれぞれ直角に折り曲げた状態で、開口を上端側にして、当該二つ折フィルムをパチンコ機の搬送方向と直交する水平方向に沿って所定間隔をおいて起立させるために、第１コンベア装置の両側に起立して配置された直角二等辺三角形状をした一対のフォーミングプレートと、前記パチンコ機の走行方向に沿って先端側が予め上下方向に沿って熱融着された二つ折フィルムの内部にパチンコ機が配置された状態で、当該パチンコ機の搬送により前記二つ折フィルムを引っ張りながら、前記第１コンベア装置に接続する第２コンベア装置の上の熱融着・切断位置に配置された当該パチンコ機を覆っている前記二つ折フィルムにおける上下方向の既熱融着部と対向する部分を、上下方向に沿って二列状に熱融着すると共に、当該二列状に熱融着された部分の間の切断を行う上下方向熱融着・切断装置と、前記第２コンベア装置に載せられたパチンコ機の上端よりも上方において前記二つ折フィルムを水平方向に沿って熱融着すると共に、当該熱融着された部分よりも外側の切断を行う水平方向熱融着・切断装置とを備え、前記二つ折フィルムにおけるパチンコ機の下辺部を除く残りの三辺部に相当する部分を熱融着して切断することで、当該パチンコ機の全体をフィルムで包装する構成のパチンコ機の自動包装装置であって、前記パチンコ機の全体を覆った状態で、開口を上端側にした前記二つ折フィルムの起立姿勢を維持すべく、当該二つ折フィルムの開口となっている上端側を前記パチンコ機の搬送方向に沿って把持して搬送するためのフィルム把持搬送装置が、前記熱融着・切断位置である第２コンベア装置の直上に配置されていることを特徴としている。
【０００９】
請求項１の発明によれば、二つ折フィルムは、所定間隔をおいて第１コンベア装置の両側に起立配置された一対のフォーミングプレートにより、前記第１コンベア装置を包み込むようにして、各二つ折部を内側にしてそれぞれ直角に折り曲げられて起立させられ、この状態で、第１コンベア装置によりパチンコ機が起立姿勢で搬送されると、第２コンベア装置の直上に配置されたフィルム把持搬送装置により、先端部が上下方向に沿って予め熱融着されることで閉塞されている二つ折フィルムの開口側の上端部が把持された状態で、第１及び第２の各コンベア装置により、当該第２コンベア装置の上の熱融着・切断位置までパチンコ機が搬送されることで、二つ折フィルムが巻取軸から引き出されることで、当該熱融着・切断位置において、先端部が閉塞されている二つ折フィルムの内部にパチンコ機が挿入配置された状態となる。
【００１０】
この熱融着・切断位置において、フィルム把持搬送装置による二つ折フィルムの開口側の上端部の把持を解除してフリーにさせた状態で、二つ折フィルムの開口側の上端部に、パチンコ機の搬送方向に沿った張力を付与する等して、二つ折フィルムの開口側の上端部の起立姿勢を保持した状態で、上下方向及び水平方向の各熱融着・切断装置によって、前記二つ折フィルムにおけるパチンコ機の下辺部を除く残りの三辺部に相当する部分を熱融着して切断することで、当該パチンコ機の全体が二つ折フィルムで包装される。
【００１１】
また、二つ折フィルムの上端部の余幅部である耳部は、水平方向熱融着・切断装置により切断除去されて、パチンコ機を包装している二つ折フィルムには、耳部が残っていないので、その後の取り扱いにおいて、当該耳部が引っ掛かることがなくなって、取り扱いが便利となる。
【００１２】
請求項２の発明は、請求項１の発明において、前記フィルム把持搬送装置は、一対の無端ローラチェーンを対向配置させて、内側の各直線走行部により、当該各直線走行部のわん曲を走行ガイド板により阻止した状態で、二つ折フィルムの開口側の上端部を把持する構成であることを特徴としている。
【００１３】
請求項２の発明によれば、一対の無端ローラチェーンを構成していて、内側で対向する各直線走行部は、走行ガイド板によりわん曲が防止された状態で、各直線走行部のひょうたん形をした一方のリンクの凹部に、他方のリンクの凸部が入り込むことで、二つ折フィルムの上端部は、平面視においてひょうたん形のリンクプレートの形状に倣って波打った状態で、滑ることなくしっかりと把持されるので、パチンコ機と一緒に二つ折フィルムが搬送される際には、当該二つ折フィルムの上端部を下方に引っ張る力が作用するが、一対の無端ローラチェーンによる把持力が大きいので、当該二つ折フィルムの上端部の垂直姿勢を保持したまま、当該二つ折フィルムを搬送して、熱融着・切断位置に配置できる。
【００１４】
請求項３の発明は、請求項２の発明において、前記一対の無端ローラチェーンは、密着・離間が可能であって、前記水平方向熱融着・切断装置により、二つ折フィルムの開口側の上端部の熱融着及び切断を行う際には、当該一対の無端ローラチェーンは、離間させて行うことを特徴としている。
【００１５】
請求項３の発明によれば、パチンコ機の搬送時には、一対の無端ローラチェーンを密着させることで、当該パチンコ機が挿入配置されている二つ折フィルムの開口側の上端部を把持して、当該二つ折フィルムを搬送し、当該二つ折フィルムの上端部の熱融着・切断時には、一対の無端ローラチェーンを離間させることで、引張力が作用していない状態で、二つ折フィルムの開口側の上端部を熱融着できるため、熱融着を確実に行える。
【００１６】
請求項４の発明は、請求項１ないし３のいずれかの発明において、前記水平方向熱融着・切断装置、及びフィルム把持搬送装置は、上下方向の配置位置が調整可能であることを特徴としている。
【００１７】
請求項４の発明によって、水平方向熱融着・切断装置、及びフィルム把持搬送装置を基準位置よりも上方に配置させることで、パチンコ機を包装した二つ折フィルムの余裕が大きくなって、二つ折フィルムにゆとりのある状態で、パチンコ機の包装を行える。逆に、上記各装置を基準位置よりも下げることで、二つ折フィルムの余裕が少なくなって、二つ折フィルムの弛みが少ない状態で、パチンコ機の包装を行える。
【００１８】
請求項５の発明は、請求項１ないし４のいずれかの発明において、前記水平方向熱融着・切断装置により、二つ折フィルムの開口側の上端部の熱融着及び切断を行うことにより発生した二枚重ねとなった長尺状のフィルム耳部を巻き取るためのフィルム耳部巻取装置を備えていることを特徴としている。
【００１９】
請求項５の発明によれば、二つ折フィルムの上端部を切断することで発生する長尺状のフィルム耳部は、フィルム耳部巻取装置により自動的に巻き取られるので、装置周辺に耳部が散乱して、自動包装作業の障害とならない。
【００２０】
請求項６の発明は、請求項５の発明において、前記フィルム耳部巻取装置は、軸心を垂直にした１ないし複数の第１ガイドローラを経て、軸心を水平にした複数の第２ガイドローラに巻き掛けられて、軸心を水平にした巻取軸に巻き取られ、しかも複数の第２ガイドローラのうち最も低い位置に配置される第２ガイドローラは、張力発生用の重りが付けられた状態で上下方向の移動が可能に配置されて、巻取軸の巻太りに応じて、上昇する構成であることを特徴としている。
【００２１】
請求項６の発明によれば、フィルム耳部巻取装置の巻取回転数が一定の場合、フィルム耳部の巻太りにより、巻取速度が大きくなると、重りが取付けられている昇降可能な第２ガイドローラが上昇することで、巻取速度の増大を吸収できる。また、フィルム耳部は、二つ折フィルムに接続されているので、張力発生用の重りによって、当該二つ折フィルム、特に、その上端部に張力が及ぶために、一対の無端ローラチェーンを離間させて、二つ折フィルムの上端部の把持を解除した状態においても、当該二つ折フィルムの上端部は、垂直に近い姿勢を維持する。
【００２２】
請求項７の発明は、請求項２を引用する請求項６に記載のパチンコ機の自動包装装置を使用して、二つ折フィルムによりパチンコ機を自動包装する方法であって、パチンコ機が挿入配置された二つ折フィルムの上端部を水平方向熱融着・切断装置により熱融着及び切断を行う際には、一対の無端ローラチェーンを離間させて、前記フィルム耳部巻取装置を構成する第２ガイドローラの張力発生用の重りにより、当該二つ折フィルムの上端部にパチンコ機の搬送方向に沿った張力が付与されることで、起立姿勢に近い姿勢を保持した状態で行うことを特徴としている。
【００２３】
内部にパチンコ機が挿入配置された二つ折フィルムの開口側の上端部を、水平方向熱融着・切断装置により熱融着及び切断する際には、当該水平方向熱融着・切断装置を構成する一対の無端ローラチェーンを離間させて、二つ折フィルムの上端部を非拘束の状態で行う必要がある。請求項７の発明によれば、切断されたフィルム耳部に接続する二つ折フィルムの上端部には、張力発生用の重りにより発生させられた張力が及んでいるので、一対の無端ローラチェーンを離間させても、二つ折フィルムの上端部は、垂直に近い姿勢を保持しているため、非拘束状態となっていて、垂直に近い姿勢を保持している当該二つ折フィルムの上端部の熱融着及び切断を支障なく行える。
【発明の効果】
【００２４】
本発明によれば、パチンコ機の全体を覆った状態で、開口を上端側にした二つ折フィルムの起立姿勢を維持すべく、当該二つ折フィルムの開口となっている上端側を前記パチンコ機の搬送方向に沿って把持して搬送するためのフィルム把持搬送装置が、前記熱融着・切断位置である第２コンベア装置の直上に配置されている二つ折フィルムの熱融着・切断位置の直上に配置されているので、パチンコ機が挿入配置された二つ折フィルムが熱融着・切断位置に配置された状態において、当該二つ折フィルムの開口側の上端部の起立姿勢を保持させて、当該二つ折フィルムの上端部の熱融着及び切断を安定して確実に行える。
【図面の簡単な説明】
【００２５】
【図１】本発明に係るパチンコ機の自動包装装置の全体斜視図である。
【図２】同じく正面図である。
【図３】同じく平面図である。
【図４】本発明に係るパチンコ機の自動包装装置の一対のフォーミングプレート１の部分を取り除いた状態の全体斜視図である。
【図５】二つ折フィルムＦ及びフィルム耳部Ｆｂの流れを主体に示す本発明に係るパチンコ機の自動包装装置の正面図である。
【図６】二つ折フィルムＦの各二つ折部Ｆａが内側に直角に折り曲げられて起立される状態を示す斜視図である。
【図７】図４のＸ矢視図である。
【図８】（ａ），（ｂ）は、それぞれ上下方向、及び水平方向の各熱融着・切断装置Ａ，Ｂの各作動部Ａ1 ，Ｂ1 の模式的断面図である。
【図９】フィルム把持搬送装置Ｄの下方斜視図である。
【図１０】フィルム把持搬送装置Ｄの斜視図である。
【図１１】図１０のＹ矢視図である。
【図１２】フィルム把持搬送装置Ｄを構成する一対の無端ローラチェーンＥ1 ，Ｅ2 の平面図である。
【図１３】（ａ）は、一対の無端ローラチェーンＥ1 ，Ｅ2 の直線走行部の部分拡大平面図であり、（ｂ）は、（ａ）のＺ−Ｚ線断面図である。
【図１４】フィルム耳部巻取装置Ｋの斜視図である。
【図１５】（ａ），（ｂ）は、包装開始前において、フィルム耳部Ｆｂを発生させるために、二つ折フィルムＦを空切断する作用を説明するための自動包装装置の模式的正面図、及び平面図である。
【図１６】（ａ），（ｂ）は、第１コンベア装置Ｃ1 にパチンコ機Ｐが載せられた状態の自動包装装置の模式的正面図、及び平面図である。
【図１７】（ａ），（ｂ）は、第２コンベア装置Ｃ2 の熱融着・切断位置にパチンコ機Ｐがセットされた状態の自動包装装置の模式的正面図、及び平面図である。
【図１８】同様の状態の側面図である。
【図１９】内部にパチンコ機Ｐが挿入配置された二つ折フィルムＦの上端部の把持を解除して、当該二つ折フィルムＦの残りの二辺部をＬ字形に熱融着して切断する状態の側面図である。
【図２０】（ａ），（ｂ）は、それぞれ二つ折フィルムＦによりパチンコ機Ｐが包装された状態の斜視図、及び正面図である。
【図２１】フィルム把持搬送装置Ｄ’の別例を示す模式図である。
【発明を実施するための形態】
【００２６】
以下、実施例を挙げて、本発明を更に詳細に説明する。図１〜図５において、本発明に係るパチンコ機の自動包装装置は、一対のフォーミングプレート１により二つ折フィルムＦの折曲げ部を内側にして直角に折り曲げると共に、開口を上方にして起立させ、起立された二つ折フィルムＦの間にパチンコ機Ｐを挿入配置させるための前部（フィルム折曲げ・起立部）と、内部にパチンコ機Ｐが挿入配置された二つ折フィルムＦにおける上下方向の既熱融着部Ｗ0 と対向する上下方向の部分、及び開口側の上端部を熱融着して切断するための後部（フィルム熱融着・切断部）とから成る。
【００２７】
パチンコ機の自動包装装置の前部には、第１コンベア装置Ｃ1 の両側に、直角二等辺三角形状をした一対のフォーミングプレート１が所定間隔をおいて起立配置され、前記第１コンベア装置Ｃ1 の手前側には、二つ折フィルムＦが巻取軸（図示せず）に巻回された原反フィルムＦ0 が、当該巻取軸を前記第１コンベア装置Ｃ1 と平行にして配置されている。第１コンベア装置Ｃ1 の原反フィルムＦ0 との間には、原反フィルムＦ0 から引き出された二つ折フィルムＦにおける第１コンベア装置Ｃ1 に近接した部分を上下から挟持するための一対の挟持ローラ２ａ，２ｂが、原反フィルムＦ0 の巻取軸と平行に配置されている。
【００２８】
原反フィルムＦ0 から引き出された二つ折フィルムＦは、一対の挟持ローラ２ａ，２ｂを通過した後において、上方及び下方の各二つ折部Ｆａの連結部が第１コンベア装置Ｃ1 の底部に配置される形態となって、即ち、前記連結部が第１コンベア装置Ｃ1 の裏面側に配置される形態となって、上方及び下方の各二つ折部Ｆａは、それぞれ直角に折り曲げられた部分において、手前側及び奥側の各フォーミングプレート１の両面を覆うことで、当該二つ折フィルムＦは、開口が上端側となって、起立配置される。なお、図１において、３は、第１コンベア装置Ｃ1 に載せられて搬送されるパチンコ機Ｐの両側方への転倒を防止するための一対の転倒防止バーを示す。
【００２９】
本発明に係るパチンコ機の自動包装装置の後部には、第１コンベア装置Ｃ1 に接続して、第２及び第３の各コンベア装置Ｃ2 ，Ｃ3 が僅かの間隔をおいて直列状に配置されている。第１及び第２の各コンベア装置Ｃ1 ，Ｃ2 の間の隙間は、後述の上下方向熱融着・切断装置Ａを配置させるための空間であり、第２及び第３の各コンベア装置Ｃ2 ，Ｃ3 の間の隙間は、第１コンベア装置Ｃ1 から第２コンベア装置Ｃ2 の上である熱融着・切断位置に移送されるパチンコ機Ｐの停止位置を定めるストッパ体８１（図５参照）を配置させるための空間である。
【００３０】
図５及び図７に示されるように、上下方向熱融着・切断装置Ａは、第２コンベア装置Ｃ2 の上の熱融着・切断位置にパチンコ機Ｐが配置された状態で、当該パチンコ機Ｐを覆っている二つ折フィルムＦにおける先端部の上下方向の既熱融着部Ｗ0 と対向する部分を上下方向に沿って熱融着して切断するための装置であり、水平方向熱融着・切断装置Ｂは、上記状態において、当該パチンコ機Ｐを覆っている二つ折フィルムＦにおける上端部を水平方向に沿って熱融着して切断するための装置である。両装置Ａ，Ｂは、いずれも熱融着用のヒータ４（５）及び切断刃６（７）を備えた作動部Ａ1 ，Ｂ1 と、当該作動部Ａ1 ，Ｂ1 との間で、二つ折フィルムＦの各二つ折部Ｆａを挟むために、当該作動部Ａ1 ，Ｂ1 に対して対向配置された受け部Ａ2 ，Ｂ2 とで構成される。
【００３１】
両装置Ａ，Ｂの作動部Ａ1 ，Ｂ1 と受け部Ａ2 ，Ｂ2 は、いずれも全体形状がＬ字形の一体状に形成されることで、水平方向熱融着・切断装置Ｂの作動部Ｂ1 及び受け部Ｂ2 は、いずれも片持ち状となって支持されている。上下方向熱融着・切断装置Ａの作動部Ａ1 及び受け部Ａ2 は、それぞれ垂直支持部材８，９の内側に対向して取付けられていて、各垂直支持部材８，９は、フレーム１１における前記一対のフォーミングプレート１と対向する部分の上端部、及び下端に近い部分にそれぞれ水平に設けられたガイドレール１２，１３に沿って互いに接近・離間するようにスライドする。即ち、フレーム１１における一対のフォーミングプレート１と対向する側の各コーナー支柱１４，１５の高さ方向の中央部には、それぞれエアシリンダ１６，１７が水平に取付けられていて、各エアシリンダ１６，１７のロッドの先端部が前記各垂直支持部材８，９に連結されることで、上下方向及び水平方向の各熱融着・切断装置Ａ，Ｂの一体化された作動部Ａ1 ，Ｂ1 と、同様の受け部Ａ2 ，Ｂ2 とは、各エアシリンダ１６，１７の駆動により、互いに接近・離間するようになっている。
【００３２】
また、内部にパチンコ機Ｐが挿入配置された二つ折フィルムＦの上端部の熱融着位置を上下方向に沿って変更して、二つ折フィルムＦによるパチンコ機Ｐの包装状態のたるみの調整を可能にするために、各垂直支持部材８，9 に対する上下方向熱融着・切断装置Ａの作動部Ａ1 の取付位置は、上下方向に沿って調整可能になっている。
【００３３】
上下方向熱融着・切断装置Ａの作動部Ａ1 は、図８に示されるように、水平方向に沿って所定間隔をおいて上下方向に配置された２本のヒータ４の間に切断刃６が上下方向に配置され、水平方向熱融着・切断装置Ｂの作動部Ｂ1 は、水平方向に配置された１本のヒータ５の直上に切断刃７が同方向に配置され、両装置Ａ，Ｂのヒータ４，５及び切断刃６，７は、いずれも直交した状態で接続されている。受け部Ａ2 ，Ｂ2 には、熱融着及び切断の際に、前記ヒータ４，５及び切断刃６，７を弾性的に当接させるためのスポンジ体１０が設けられている。
【００３４】
次に、図２〜図４及び図９〜図１３を参照して、二つ折フィルムＦの内部にパチンコ機Ｐが挿入配置された状態で、当該パチンコ機Ｐを第１コンベア装置Ｃ1 から熱融着・切断位置である第２コンベア装置Ｃ2 に移送する際に、二つ折フィルムＦの上端部を起立姿勢を保持して把持した状態で、当該二つ折フィルムＦの上端部を搬送するためのフィルム把持搬送装置Ｄについて説明する。フィルム把持搬送装置Ｄは、一対の無端ローラチェーンＥ1 ，Ｅ2 の内側の直線走行部をわん曲させることなく当接させて、各直線走行部の間に、二つ折フィルムＦの各二つ折部Ｆａの上端部を挟み込むことで、二つ折フィルムＦの上端部を確実に把持する構成であって、第１無端ローラチェーンＥ1 は駆動走行され、第２無端ローラチェーンＥ2 は、被動走行される。即ち、図９及び図１３に示されるように、第１及び第２の各無端ローラチェーンＥ1 ，Ｅ2 の直線走行部は、第１及び第２の各走行ガイド板２１，２２の互いに対向する各側端面に当接した状態で走行することで、走行時における走行方向と直交する方向の弛みが生じないようになっていて、この走行状態において、一方の無端ローラチェーンＥ1 のひょうたん形をしたリンクプレート２３ａの凹部に、他方の無端ローラチェーンＥ2 のリンクプレート２４ａの両端部のいずれかの凸部が僅かに入り込むことで、第１無端ローラチェーンＥ1 の駆動走行により第２無端ローラチェーンＥ2 が被動走行される。第１及び第２の各無端ローラチェーンＥ1 ，Ｅ2 の各ピン４５，４６の外側に嵌め込まれた各ローラ４７，４８は、第１及び第２の各走行ガイド板２１，２２の端面に当接した状態で走行する。なお、図１３において、リンクプレート２３ａと同２４ａは、両者の間に２枚の二つ折部Ｆａを挟んだ状態で互いに接触して走行するが、図示の関係上、各リンクプレート２３ａ，２４ａは、互いに離間させてある。
【００３５】
フレーム１１の上部の相前後する連結部材２５にベース板２６が固定され、当該ベース板２６の下方には、中間板２７が上下方向の配置位置を調整可能にして複数本（実施例では４本）の吊下ロッド２８を介して取付けられている。即ち、中間板２７に一体に取付けられた複数本の吊下ロッド２８は、ベース板２６を貫通して上方に突出され、２本の吊下ロッド２８の上端部は、それぞれ連結板２９で連結され、更に、ベース板２６と各連結板２９とは、それぞれ複数本（２本）の高さ調整ボルト３１で連結されている。よって、高さ調整ボルト３１により、中間板２７の高さの調整ができて、当該中間板２７の下方に配置された一対の無端ローラチェーンＥ1 ，Ｅ2 の配置高さの調整が可能となっている。
【００３６】
中間板２７の下方には、複数本の連結支柱３２を介して第１無端ローラチェーンＥ1 の取付板３３が配置され、当該取付板３３の直下に前記第１走行ガイド板２１が一体に取付けられている。一方、中間板２７の裏面における二つ折フィルムＦの走行方向Ｑと直交する方向に沿った端部には、当該方向に沿って一対のガイドレール３４が設けられ、第２無端ローラチェーンＥ2 を取付けるための第２無端ローラチェーン取付体３５は、中間板２７の上面に取付けられたエアシリンダ３６によって、前記一対のガイドレール３４に案内されて、二つ折フィルムＦの走行方向Ｑと直交する方向に沿って移動可能である。第２無端ローラチェーン取付体３５の直下に前記第２走行ガイド板２２が一体に取付けられている。両直線走行部の各ローラ４８が第２走行ガイド板２２に沿って走行案内される第２無端ローラチェーンＥ2 の両端は、それぞれ鎖歯車３７に掛装されている。
【００３７】
一方、取付板３３の直下に配置された前記第１走行ガイド板２１、駆動用鎖歯車３８、張力付与用鎖歯車３９には、第１無端ローラチェーンＥ1 が掛装され、ベース板２６に配置された駆動モータ４１の駆動軸４１ａの回転が、鎖歯車４３及び無端ローラチェーン４４を介して駆動用鎖歯車３８を取付けている駆動軸４０に伝達されて、第２無端ローラチェーンＥ2 が駆動状態で周回走行するようになっている。第１走行ガイド板２１の長手方向の両端部は半円状に形成されて、当該半円状の部分においても、第１無端ローラチェーンＥ1 は、鎖歯車が用いられることなく、当接状態で周回走行する。なお、一対の無端ローラチェーンＥ1 ，Ｅ2 における二つ折フィルムＦが入り込む部分には、一対のフィルム引寄せローラ４２が対向配置されていて、当該二つ折フィルムＦの離間している各二つ折部Ｆａを互いに接近するように引き寄せて、一対の無端ローラチェーンＥ1 ，Ｅ2 の間に密着させて入り込ませるためのローラである。
【００３８】
次に、図４、図５及び図１４を参照して、フィルム耳部巻取装置Ｋについて説明する。フィルム耳部巻取装置Ｋは、二つ折フィルムＦの上端部の余幅部を水平方向熱融着・切断装置Ｂにより切断することで発生する長尺状のフィルム耳部Ｆｂを巻取ドラム５１に巻き取って回収することで、作業室内にフィルム耳部Ｆｂが飛散するのを防止する装置である。フレーム１１の天井部に設けられた前記フィルム把持搬送装置Ｄにおけるパチンコ機Ｐの搬送方向Ｑを基準にして斜下流側には、軸心を垂直にした２本の第１ガイドローラ５２が所定間隔をおいて配置され、前記フレーム１１の別のコーナー支柱５３には、上下一対のブラケット５４が取付けられ、上方のブラケット５４及び上下の各ブラケット５４を連結している連結板５５には、２本の第２ガイドローラ５６が斜上下方向に沿って所定間隔をおいて軸心を水平にして固定配置されている。上下一対のブラケット５４には、水平方向に沿って所定間隔をおいて２本のガイドロッド６０が垂直に支持されていて、各ガイドロッド６０には、スライダー５７が上下動可能に支持され、最も低い位置に配置された第２ガイドローラ５８は、前記スライダー５７に軸心を水平にして取付けられることで、昇降可能となっている。
【００３９】
前記巻取ドラム５１は、第１及び第２の各コンベア装置Ｃ1 ，Ｃ2 に連動して、即ち、二つ折フィルムＦの走行に連動して駆動回転され、フィルム耳部Ｆｂは、起立姿勢のままで２本の第１ガイドローラ５２を通過した後に、９０°だけ捻られることで上方に配置された第２ガイドローラ５６を通過して、最も低い位置に昇降可能に配置された第２ガイドローラ５８に巻回され、更に、別の第２ガイドローラ５６に巻回された後に巻取ドラム５１に巻き取られる。巻取ドラム５１の回転数は一定であるため、フィルム耳部Ｆｂの巻太りにより巻取速度が増大するが、これに応じて、最も低い位置に配置された第２ガイドローラ５８が上昇することで、巻取速度の増大に対応しているため、フィルム耳部Ｆｂに過剰張力が作用することなく、常に一定張力でもって、フィルム耳部Ｆｂは巻取ドラム５１に巻き取られる。なお、図１、図４及び図１３において、５９は、巻取ドラム５１に巻き取られるフィルム耳部Ｆｂの巻取位置を、当該巻取ドラム５１の軸方向に沿って移動させるためのトラバースロッドであって、駆動モータ６１の正逆回転により、巻取ドラム５１の軸方向に沿って往復動を行う。
【００４０】
次に、図１５〜図１９を参照して、上記したパチンコ機Ｐの自動包装装置の作用について説明する。まず、図１５に示されるように、フィルム把持搬送装置Ｄの起動により、二つ折フィルムＦの上端部を一対の無端ローラチェーンＥ1 ，Ｅ2 で挟んで、二つ折フィルムＦを第２コンベア装置Ｃ2 の上の熱融着・切断位置まで搬送して、垂直方向及び水平方向の各熱融着・切断装置Ａ，Ｂによって、当該二つ折フィルムＦの上端部を除く部分を、正面視でＬ字形にして、パチンコ機Ｐを包装しない空の熱融着及び切断を数回行うことで、前記巻取ドラム５１に巻取可能な長さのフィルム耳部Ｆｂを発生させる。このようにして発生した長尺状のフィルム耳部Ｆｂを複数本の上記した第１及び第２の各ガイドローラ５２，５６に順次引っ掛けて、その先端部を巻取ドラム５１に巻回させる。
【００４１】
図１６は、二つ折フィルムＦに対して最後の空の熱融着及び切断を行った状態であって、発生した長尺状のフィルム耳部Ｆｂの基端部は、フィルム把持搬送装置Ｄを構成する一対の無端ローラチェーンＥ1 ，Ｅ2 により挟まれ、二つ折フィルムＦの先端部には、最後の空の熱融着及び切断によって、上下方向に沿った既熱融着部Ｗ0 （図１６参照）が存在することで、当該二つ折フィルムＦは、その先端部が閉塞されて、上端部が開口されていて、第１コンベア装置Ｃ1 に配置されたパチンコ機Ｐを包装できる包装準備状態である。
【００４２】
上記した包装準備状態において、第１及び第２の各コンベア装置Ｃ1 ，Ｃ2 並びにフィルム把持搬送装置Ｄを同時に起動させると、図１７及び図１８に示されるように、二つ折フィルムＦの上端部は、フィルム把持搬送装置Ｄを構成する一対の無端ローラチェーンＥ1 ，Ｅ1 の周回走行により、パチンコ機の搬送方向Ｑに引っ張られると共に、当該二つ折フィルムＦの上端部を除く残りの部分は、第１コンベア装置Ｃ1 から第２コンベア装置Ｃ2 に向けてパチンコ機Ｐが移送されることで引っ張られて、当該二つ折フィルムＦは、ストッパ体８１により定められる位置までパチンコ機Ｐが搬送されて停止するのに対応して、原反フィルムＦ0 から引き出される。二つ折フィルムＦには、パチンコ機Ｐの搬送時において下方に引っ張られる力が作用するが、二つ折フィルムＦの上端部は、上記したように、第１及び第２の各ローラチェーンＥ1 ，Ｅ2 を構成していて、平面視においてひょうたん形の各リンクプレート２３ａ，２４ａの形状に倣って波打った状態で、滑ることなくしっかりと把持された状態で搬送されるため、二つ折フィルムＦは、パチンコ機Ｐの搬送中において大きく垂れ下がったり、滑り落ちたりすることはない。
【００４３】
次に、図１９に示されるように、エアシリンダ３６の作動により、フィルム把持搬送装置Ｄを構成している第２無端ローラチェーンＥ2 を第１無端ローラチェーンＥ1 に対して離間させることで、二つ折フィルムＦの上端部のフィルム耳部Ｆｂとなる部分の把持を解除する。この状態で、エアシリンダ１６，１７により垂直方向及び水平方向の各熱融着・切断装置Ａ，Ｂを構成する一体となった作動部Ａ1 ，Ｂ1 と、同様の受け部Ａ2 ，Ｂ2 とを接近させて、当接させることで、パチンコ機Ｐが挿入配置された二つ折フィルムＦにおける既熱融着部Ｗ0 と対向する上下方向の部分、及び上端部の水平方向の部分を熱融着して切断する。
【００４４】
二つ折フィルムＦにおける既熱融着部Ｗ0 と対向する上下方向の部分は、二本の熱融着部Ｗ1 の間が切断されることで、残りの二つ折フィルムＦの側に残った部分は、次のパチンコ機Ｐを包装する際の既熱融着部Ｗ0 となる。また、二つ折フィルムＦの上端部の熱融着及び切断は、当該上端部の把持を解除して行うことで、当該上端部に張力が作用していない状態で行うので、当該熱融着及び切断を支障なく行える。なお、二つ折フィルムＦの上端部の把持を解除しても、切断によりフィルム耳部Ｆｂとなる二つ折フィルムＦの当該上端部には、フィルム耳部巻取装置Ｋを構成する前記スライダー５７の自重に基づく張力Ｔ（図１６及び図１７参照）が作用しているので、当該上端部は、側方に倒れることなく、ほぼ起立姿勢を保持する。
【００４５】
これにより、第２コンベア装置Ｃ2 の上である熱融着・切断位置において、パチンコ機Ｐを挿入配置している二つ折フィルムＦは、正面視において逆Ｌ字状となって熱融着及び切断されることで、二つ折フィルムＦの残りの二辺に相当する部分が閉塞されて、図２０に示されるように、パチンコ機Ｐは、密封状態で包装される。このように、パチンコ機Ｐが二つ折フィルムＦにより包装された状態では、上端部にフィルム耳部Ｆｂが残っていないので、パチンコ機Ｐのその後の取扱い時において、当該フィルム耳部Ｆｂが周辺の物品に引っ掛かる等の不具合がなくなる。なお、図１９において、Ｗ1 ，Ｗ2 は、それぞれ上下方向及び水平方向の熱融着部を示し、Ｆ’は、方形状をした二つ折フィルムＦが三辺で熱融着されることで、パチンコ機Ｐを密封状態で包装しているフィルムを示す。
【００４６】
第３コンベア装置Ｃ3 の起動により包装済のパチンコ機Ｐが装置外に搬出された後に、フィルム把持搬送装置Ｄ並びに第１及び第２の各コンベア装置Ｃ1 ，Ｃ2 が再起動することで、上記の作用が反復されて、二つ折フィルムＦによりパチンコ機Ｐが連続して自動的に包装される。
【００４７】
なお、パチンコ機Ｐを包装する二つ折フィルムＦの上端部が切断されることで発生するフィルム耳部Ｆｂは、フィルム耳部巻取装置Ｋにより巻取ドラム５１に巻き取られることは、上記した通りである。このようにして、連続して発生するフィルム耳部Ｆｂは、自動的に回収されるので、パチンコ機Ｐを自動包装する作業現場にフィルム耳部Ｆｂが散乱して、作業の障害となるような事態の発生を防止できる。
【００４８】
また、上記実施例では、「フィルム把持搬送装置」として、一対の無端ローラチェーンの内側の対向する各直線走行部を走行ガイド板でガイドすることで、当該チェーンを、その走行方向と直交する横方向にわん曲するのを防止して、各無端ローラチェーンを構成する各リンクプレートの間で、二つ折フィルムの上端部を僅かにわん曲させて把持することで、当該二つ折フィルムの上端部を滑り落ちることなく、確実に搬送させている。しかし、本発明における「フィルム把持搬送装置」は、二つ折フィルムの上端部を滑り落ちることなく把持して搬送できればよいので、図２１に模式的に示されるように、弾性体で構成された一対一組の多数組のガイドローラ７１を僅かに波打たせた状態で配置されて、各組のガイドローラ７１の間で二つ折フィルムＦを弾性的に挟んだ状態で、当該二つ折フィルムＦを走行させることで、当該二つ折フィルムＦの滑り落ちを防止する構成のフィルム把持搬送装置Ｄ’であってもよい。
【符号の説明】
【００４９】
Ａ：上下方向熱融着・切断装置
Ａ1 ：上下方向熱融着・切断装置の作動部
Ａ2 ：上下方向熱融着・切断装置の受け部
Ｂ：水平方向熱融着・切断装置
Ｂ1 ：水平方向熱融着・切断装置の作動部
Ｂ2 ：水平方向熱融着・切断装置の受け部
Ｃ1 ：第１コンベア装置
Ｃ2 ：第２コンベア装置
Ｄ，Ｄ’：フィルム把持搬送装置
Ｅ1 ：第１無端ローラチェーン
Ｅ2 ：第２無端ローラチェーン
Ｆ：二つ折フィルム
Ｆ0 ：原反フィルム
Ｆａ：二つ折部
Ｆｂ：フィルム耳部
Ｋ：フィルム耳部巻取装置
Ｑ：パチンコ機の搬送方向（二つ折フィルムの走行方向）
Ｔ：フィルム耳部に作用する張力
Ｗ0 ：既熱融着部
Ｗ1 ：上下方向の熱融着部
Ｗ2 ：水平方向の熱融着部
１：フォーミングプレート
２１：第１走行ガイド板
２２：第２走行ガイド板
５２：第１ガイドローラ
５６：第２ガイドローラ
５７：スライダー（重り）
５８：最も低い位置に配置された第２ガイドローラ
【図１】
2015224039.tif 000003
【図２】
2015224039.tif 000004
【図３】
2015224039.tif 000005
【図４】
2015224039.tif 000006
【図５】
2015224039.tif 000007
【図６】
2015224039.tif 000008
【図７】
2015224039.tif 000009
【図８】
2015224039.tif 000010
【図９】
2015224039.tif 000011
【図１０】
2015224039.tif 000012
【図１１】
2015224039.tif 000013
【図１２】
2015224039.tif 000014
【図１３】
2015224039.tif 000015
【図１４】
2015224039.tif 000016
【図１５】
2015224039.tif 000017
【図１６】
2015224039.tif 000018
【図１７】
2015224039.tif 000019
【図１８】
2015224039.tif 000020
【図１９】
2015224039.tif 000021
【図２０】
2015224039.tif 000022
【図２１】
2015224039.tif 000023